(57)【要約】      （修正有）【課題】トイレットペーパーのカットが容易で、先端が掴み易く、吊り下がっている状態を保持できるトイレットペーパーホルダーのロールカバーを提供する。【解決手段】カバー湾曲面に開設されたペーパー排出口１１と、先端部領域１２に形設されたペーパー切断辺１３を有する。ペーパー排出口は横長に開設され、長手方向の幅はロール３の紙幅と同長に又は紙幅より長い。ペーパー切断辺を含む先端部領域は外側に折出し、ペーパー切断辺がペーパー排出口から排出され垂下したペーパー４に対して一定の角度をもって着接する。使用者はペーパーを容易につまむことができ、これを下に引くだけで、片手でペーパーをカットすることができ、カット後のペーパーは、ペーパー排出口から垂れ下がった状態になっているため、次の使用者も容易にペーパーを引き出すことができる。【選択図】図３
0003225679.tif 000002
【実用新案登録請求の範囲】
【請求項１】
トイレットペーパーホルダーに付設されるロールカバーであって、
前記ロールカバーの湾曲面に開設されたペーパー排出口と、
前記ロールカバーの先端部領域に形設されたペーパー切断辺と、
を有することを特徴とするロールカバー。
【請求項２】
前記ペーパー排出口は前記トイレットペーパーホルダーのロール支持棒と平行に横長に開設され、
前記ペーパー排出口の長手方向の幅はトイレットペーパーロールの紙幅と同長に又は該紙幅より長く形成されていることを特徴とする請求項１記載のロールカバー。
【請求項３】
前記ペーパー切断辺を含む前記ロールカバーの前記先端部領域は外側に折出し、前記ペーパー切断辺が前記ペーパー排出口から排出され垂下したペーパーに対して一定の角度をもって着接することを特徴とする請求項１又は２記載のロールカバー。
【考案の詳細な説明】
【技術分野】
【０００１】
本考案は、ペーパーを取り出しやすいトイレットペーパーホルダーのロールカバーに関する。
【背景技術】
【０００２】
トイレ内にセットされたトイレットペーパーロールは、通常、ロール支持棒に回転自在に軸架され、上部にロールカバーが被着している。これを使用するときは、ペーパーを引き出した後に前記ロールカバーの縁辺でカットするが、カット後はカット部分が前記カバーの外に十分に出ていないため、次に使用する者は手でカバーを上げるなどして、カット部分をさがして摘まみ出す動作をすることが多い。
【０００３】
また、宿泊施設や売店など、清掃人が管理するトイレでは、清掃人がペーパーの先端を三角形に折るなどして、ペーパーのカット部分のメイクを行い、使用者がペーパーを取り出しやすくしているが、担当者は清掃作業を行う手でペーパーを折ることから、不衛生であると考える使用者もいる。
【先行技術文献】
【特許文献】
【０００４】
【特許文献１】特開２００９−１５３７４２号
【考案の概要】
【考案が解決しようとする課題】
【０００５】
前述したように、トイレの使用者は、トイレットペーパーのカット部分が見つからないときは、ロールカバーを上げてカット部分を摘まみ出すか、ロールを回転させてカット部分が垂れた状態にする等の行為を行っていると考えられるが、トイレを使用するたびに、このような行為を行うことは手間と時間がかかり迂遠である。とくに急いでいるときは焦燥感にかられることもある。仮に、トイレットペーパーのカット部分が、いつでも掴み易い状態で垂れ下がっているとしたら、トイレ使用時の利便性が格段に向上する。
【０００６】
特許文献１には、トイレットペーパーホルダー上蓋に楕円形のペーパー取出し口とペーパー切断用のノコギリ刃を設け、ペーパー切断時に上蓋が上がらないようにバネを配置したトイレットペーパーホルダーの発明が開示されている。しかし、この構成では、ペーパーが楕円形の取り出し口を通過するときによれてしまううえに、全体の構造が複雑になるなどの不利点がある。また、ペーパー切断時にはペーパーを横方向に引っ張りノコギリ刃に引っ掛けるといった不自然な動作を強要されるうえ、ノコギリ刃で指等を傷つける恐れもある。
【０００７】
上述の問題に鑑み、本考案においては、使用者が先端を下に引くだけでカットしたトイレットペーパーのカット部分が、次使用者のために、掴み易い状態で吊り下がっている状態を保持することを可能とするトイレットペーパーホルダーのロールカバーを提供することを課題とする。
【課題を解決するための手段】
【０００８】
上記課題を解決するために、本考案に係るトイレットペーパーホルダーのロールカバーは以下の構成を有する。
【０００９】
請求項１のロールカバーは、前記ロールカバーの湾曲面に開設されたペーパー排出口と、前記ロールカバーの先端部領域に形設されたペーパー切断辺とを有することを特徴とする。
【００１０】
請求項２のロールカバーは、請求項１のロールカバーの特徴に加えて、前記ペーパー排出口は前記トイレットペーパーホルダーのロール支持棒と平行に横長に開設され、前記ペーパー排出口の長手方向の幅は前記トイレットペーパーロールの紙幅と同長に又は該紙幅より長く形成されていることを特徴とする
【００１１】
請求項３のロールカバーは、請求項１又は請求項２のロールカバーの特徴に加えて、前記ペーパー切断辺を含む前記ロールカバーの先端部領域は外側に折出し、前記ペーパー切断辺が前記ペーパー排出口から排出され垂下したペーパーに対して一定の角度をもって着接することを特徴とする
【考案の効果】
【００１２】
本考案に係るトイレットペーパーホルダーのロールカバーを設置することにより、トイレットペーパーのカット後に、ペーパー排出口からカット部分が垂れ下がるため、次使用者はカット部分をさがして摘まみ出す動作をする必要がなくなる。これにより、急いでいるときでも焦慮することがなくなる。
【００１３】
本考案に係るトイレットペーパーホルダーのロールカバーを使用することにより、使用者は垂れ下がったペーパーを下に引っ張るだけで、容易にペーパーをカットすることが可能となる。
【００１４】
本考案に係るトイレットペーパーホルダーのロールカバーを宿泊施設や売店のトイレに設置することにより、清掃担当者がペーパーのカット部分のメイクを行う必要がなくなり、衛生に対する懸念が払しょくされる。
【図面の簡単な説明】
【００１５】
【図１】本実施形態のロールカバーの斜視図である。
【図２】ペーパー排出口からトイレットペーパーの先端部分を引き出した状態を示す斜視図である。
【図３】トイレットペーパーの先端部分を下方に引き、ペーパー切断辺でトイレットペーパーをカットしているときの状態を示す斜視図である。
【考案を実施するための形態】
【００１６】
以下、本実施形態に係るトイレットペーパーホルダーのロールカバーについて、図を用いて説明する。本実施形態は請求項３に記載のロールカバーである。
【００１７】
本カバーはトイレットペーパーホルダーに付設されるロールカバーであって、図１に示すように、カバー１の湾曲面の中ほどにコの字型のペーパー排出口１１を、また、カバー１の先端部領域１２にペーパー切断辺１３を有する。
【００１８】
図２は、ロール支持棒２にペーパーロール３を取り付け、ペーパー排出口１１からトイレットペーパー４のカット部分を引き出した状態を示す。図に示すように、ペーパー排出口１１はペーパー切断辺１３と平行に横長に開設され、長手方向の幅はトイレットペーパーの横幅より多少長めになるよう形成されている。図２は、ロール３をロール支持棒にセットするときに行う最初の作業を示すと同時に、ペーパーをカットしたのちの状態を示すものでもある。
【００１９】
図３は、トイレットペーパーをカットするときの状態を示すものである。図に示すように、ペーパー切断辺１３を含むロールカバー１の先端部領域１２は外側に折出し、カット時にペーパー４を下に引いたときに、ペーパー切断辺１３がペーパー４に対して切断可能な一定の角度をもって着接する構成になっている。
【００２０】
上述の構成により、ロールセット時にペーパー４の先端をペーパー排出口１１から引き出した状態（図２）にしておけば、使用者はペーパー４を容易につまむことができ、これを下に引っ張るだけで、片手でペーパー４をカットすることができる（図３）。さらに、カット後のペーパー４は、ペーパー排出口１１から垂れ下がった状態になっているため（図２）、次の使用者も容易にペーパー４を引き出すことができる。
【００２１】
本実施形態においては、ロールセット時にペーパー４の先端をセットしやすいよう、ペーパー排出口１１をコの字型に成形してあるが、カバー１に使用する素材の関係上、強い構造を求める場合は、両端を閉じた口の字型とすることもできる。
【００２２】
ペーパー切断辺１３は、とくに加工しなくても角度的に自然なカットが可能であるが、より簡単にカットできるように、ギザギザのラインにするなど、使用者が危なくない程度に加工してもよい。
【符号の説明】
【００２３】
１      ロールカバー
１１    ペーパー排出口
１２    カバー先端部領域
１３    ペーパー切断辺
２      ロール支持棒
３      ペーパーロール
４      トイレットペーパー
【図１】
0003225679.tif 000003
【図２】
0003225679.tif 000004
【図３】
0003225679.tif 000005